(57)【要約】【課題】透明タッチパネルの組合せ構造の提供。【解決手段】透明タッチパネルの組合せ構造は、タッチ膜層１、基板２、レジスター式タッチセンサー３、線形偏光膜４、フェーズ遅延フィルム５などの透明構成部材を順番にスタッキングして組成し、タッチ膜層１は、フレキシブル透明フィルムで、しかも少なくとも一つの表面はフェーズコーティング処理を経て、基板２は硬質の透明薄板で、レジスター式タッチセンサー３はタッチ膜層１と基板２の間に絶縁状態で設置され、こうして透明タッチパネル組合せ構造は、ディスプレー８の前方に配置され使用に供され、最上側の線形偏光膜４の偏光軸と、タッチ膜層１のフェーズ遅延の光学軸とは、やや半直角を呈するため、外界の反射光を抑制する効果を備え、さらに最下側のフェーズ遅延フィルム５の光学軸を上側タッチ膜層１のフェーズ遅延の光学軸と約直角に設定し、レジスター式タッチセンサー３とLCDディスプレー８との間に設置し、これにより高い識別コントラストを備える表示画面を実現することができる。【選択図】図１
0003159667.tif 000002
【実用新案登録請求の範囲】
【請求項１】
線形偏光膜、タッチ膜層、基板、レジスター式タッチセンサー、フェーズ遅延フィルムを備え、
前記タッチ膜層は、フレキシブルな透明フィルムで、しかも少なくとも一つの表面は、フェーズコーティング処理を経て、前記タッチ膜層上表面には、前記線形偏光膜をスタッキングし、
前記基板は、硬質の透明薄板で、
前記レジスター式タッチセンサーは、前記タッチ膜層と前記基板との間に絶縁状態で設置され、
前記フェーズ遅延フィルムは、前記基板の底表面に設置され、これにより最上側の線形偏光膜の偏光軸と、前記タッチ膜層のフェーズ遅延の光学軸とは、やや半直角を呈し、さらに最下側の前記フェーズ遅延フィルムの光学軸と、上側の前記タッチ膜層のフェーズ遅延の光学軸とは、やや直角を呈することを特徴とする透明タッチパネルの組合せ構造。
【考案の詳細な説明】
【技術分野】
【０００１】
本考案は透明タッチパネルの組合せ構造に関し、特に表面が反射する光の強さを低下させることができ、高い識別コントラストを備える透明タッチパネルの組合せ構造に関する。
【背景技術】
【０００２】
透明タッチパネルは通常は、電機製品のディスプレー(Display)上に配置して使用し、これにより使用者はインタラクティブな入力操作を行うことができ、こうしてマンマシーンインターフェースの親和性と入力操作の効率を向上させることができる。しかし、この種の配置では、ディスプレー前方に使用するタッチパネルは、しばしば外在環境の影響を深く受ける。例えば、屋外、或いは光線が強い場所で使用する際には、パネルの表面は、外界からの入射光の不規則な反射により、目にまぶしい刺激となり、タッチパネル下方のディスプレー内容の視程が極めて低くなり、さらには識別不能となる恐れさえある。これは、使用において、深刻な問題である。本考案は、従来の透明タッチパネルの組合せ構造の上記した欠点に鑑みてなされたものである。
【考案の概要】
【考案が解決しようとする課題】
【０００３】
本考案が解決しようとする課題は、透明タッチパネルの表面上に偏光板を配置することで反射光を抑制し、透明タッチパネルとディスプレーとの間に、少なくとも一層の光学フェーズ薄膜を設置することで人が見る時の変色を抑制し、見易さを増進することができる透明タッチパネルの組合せ構造を提供することである。
【課題を解決するための手段】
【０００４】
上記課題を解決するため、本考案は下記の透明タッチパネルの組合せ構造を提供する。
透明タッチパネルの組合せ構造は、線形偏光膜(Linearity Polarizer film)、タッチ膜層、レジスター式タッチセンサー、基板、フェーズ遅延フィルム(Phase retardation film)などの透明構成部材を順番にスタッキングして組成し、
該基板は、硬質の透明薄板で、その材質は、ガラス、ポリカーボネート(PC)、ポリエチレンテレフタレート(PET)、ポリメチルメタクリレート(PMMA)、シクロオレフィンコポリマー(COC)などの内から選択して採用するが、実施時の材料は、これに限定するものではなく、
該タッチ膜層は、フレキシブル透明フィルムで、ポリカーボネート(PC)、ポリエチレンテレフタレート(PET)、シクロオレフィンコポリマー(COC)の内から選択して採用するが、実施時の材料は、これに限定するものではなく、特に、該タッチ膜層は、フェーズコーティング(Phase Coating)処理を経て、フェーズ遅延フィルムと同等の効果を備えるフィルムで、
該レジスター式タッチセンサーは、該タッチ膜層と該基板との間に、絶縁状態で設置され、
透明タッチパネルの組合せ構造は、LCDディスプレーの前方に配置され、最上層の該線形偏光膜の偏光軸と、該タッチ膜層のフェーズ遅延の光学軸を、半直角に設定し、外界の反射光を抑制する効果を備え、さらに下側の該フェーズ遅延フィルムの光学軸を上側の該タッチ膜層のフェーズ遅延の光学軸と約直角に設定し、該レジスター式タッチセンサーとLCDディスプレーとの間に設置し、これにより高い識別コントラストを備える表示画面を実現することができる。
【考案の効果】
【０００５】
本考案透明タッチパネルの組合せ構造は、透明タッチパネルの表面上に偏光板を配置することで反射光を抑制し、透明タッチパネルとディスプレーとの間に、少なくとも一層の光学フェーズ薄膜を設置することで人が見る時の変色を抑制し、見易さを増進することができる。
【図面の簡単な説明】
【０００６】
【図１】本考案側面部分の断面表示図である。
【図２】本考案の貫通軸方向と光学軸方向の表示図である。
【考案を実施するための形態】
【０００７】
以下に図面を参照しながら本考案を実施するための最良の形態について詳細に説明する。
【実施例】
【０００８】
図１、２に示すように、タッチパネルの構造は、タッチ膜層１、基板２、レジスター式タッチセンサー３、線形偏光膜４、フェーズ遅延フィルム５などの透明構成部材を順番にスタッキングして組成する。レジスター式タッチセンサー３は、タッチ膜層１と基板２の間に、絶縁状態で設置される。タッチ膜層１上には、一層の線形偏光膜４を設置し、基板２底面には、一層のフェーズ遅延フィルム５を設置する。タッチ膜層１は、フレキシブル透明フィルムで、タッチ膜層１は、フェーズコーティング処理を経た薄膜である。そのため、タッチ膜層１も、フェーズ遅延フィルム５と同等の効果を備える。基板２は、透明ガラス基板である。レジスター式タッチセンサー３は、上、下方導電膜３１、３２を備え、しかも各上、下方導電膜３１、３２は共に、透明の酸化インジウムスズ(ITO)導電薄膜を使用する。上方導電膜３１は、タッチ膜層１の底表面に配置され、下方導電膜３２は、基板２の上方表面に設置される。しかも、上、下方導電膜３１、３２の間には、多数の凸点状隔絶部品３４を設置し、上、下方導電膜３１、３２の作用区域内に間隔を開け、空間層を形成する。また、上、下方導電膜３１、３２の作用区域外周囲には、信号伝送導路３６を設置し、信号伝送導路３６に沿って、付近に接着剤を塗布し、封鎖状の接着接合フレーム３５を形成する。接着接合フレーム３５により、タッチ膜層１と基板２とを接着接合し積み重ね、板体を形成し、これにより、上、下方導電膜３１、３２は、スタッキング板体内に、密封状に設置される。
【０００９】
上記した説明により組成するレジスター式タッチパネル構造は、LCDディスプレー８の前方に配置され、使用者は指、或いはペン先などで押し入力することができる。接触した瞬間に、レジスター式タッチセンサー３上には、電圧が生じ、しかも、電圧値の変化を探知して、指或いはペン先が押した位置を確定する。これにより、使用者はLCDディスプレー８上の情報に対応して、インタラクティブな入力操作を行うことができる。別に、最上層の線形偏光膜４の偏光軸と、タッチ膜層１のフェーズ遅延の光学軸が形成する角度は、おおよそ半直角(４５°)で、直線偏光は、円偏光、或いはやや円偏光し、透明タッチパネルの空間層に進入する。空間層は、円偏光或いはやや円偏光を反射し、さらにタッチ膜層１のフェーズ遅延フィルム５と、最上層の線形偏光膜４の貫通軸を通過して、垂直を呈する。よって、外界の反射光を抑制することができる。また、下側フェーズ遅延フィルム５の光学軸を利用し、上側タッチ膜層１のフェーズ遅延との光学軸を、約直角(９０°)に設定し、レジスター式タッチセンサー３とLCDディスプレー８との間に設置する。これにより、人が見る際の変色を抑制し、コントラスト率が高く、変色がない表示画面を実現することができる。上記したように、本考案のタッチパネルの組合せ構造は、屋外、或いは光線が強烈な場所で使用しても、表面が反射する光の強さを低下させることができ、こうして高い識別コントラストを達成し、見易い表示画面を実現することができる。
【００１０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１１】
本考案は機能と効果を大きく増進させ、該技術領域では、相同或いは近似の製品、考案は未見で、或いは公開、使用されていない。さらに本考案は実用新案の要件である新規性を備え、十分な進歩性を有し、実用性が高く、社会のニーズに合致しており、産業上の利用価値は非常に大きい。
【符号の説明】
【００１２】
１  タッチ膜層
２  基板
３  レジスター式タッチセンサー
３１、３２  上、下方導電膜
３４  凸点状隔絶部品
３５  接着接合フレーム
３６  信号伝送導路
４  線形偏光膜
５  フェーズ遅延フィルム
８  LCDディスプレー
【図１】
0003159667.tif 000003
【図２】
0003159667.tif 000004